(57)【要約】【課題】浴室空間において、浴室壁の一部を形成するアクセントパネルを際立たせることでデザイン性を向上させつつも、入浴者にあえて圧迫感を与えることで安心感を与え、真のリラックスを達成することを実現する浴室を提供する。【解決手段】浴室壁は、四方のうち１面を形成するアクセントパネルと、四方のうち残りの３面を形成する周辺パネルとを有する。アクセントパネル及び周辺パネルは、明度が７．９以下で且つ彩度が７．２以下である。アクセントパネル及び周辺パネルの明度の差分は０より大きく１．１以下である。アクセントパネル及び周辺パネルの彩度の差分は０より大きく１．０以下である。【選択図】図１
2019137986.tif 000002
【特許請求の範囲】
【請求項１】
水を吐出可能な水栓装置と、浴室床と、浴室天井と、浴室空間の四方を囲むように複数設けられた浴室壁と、を備えた浴室であって、
前記浴室壁は、前記四方のうち１面を形成するアクセントパネルと、前記四方のうち残りの３面を形成する周辺パネルと、を有し、
前記アクセントパネル及び前記周辺パネルは、明度が７．９以下で且つ彩度が７．２以下であり、
前記アクセントパネル及び前記周辺パネルの明度の差分は０より大きく１．１以下であり、
前記アクセントパネル及び前記周辺パネルの彩度の差分は０より大きく１．０以下であることを特徴とする浴室。
【請求項２】
前記アクセントパネルの明度は、前記周辺パネルの明度より小さいことを特徴とする請求項１記載の浴室。
【請求項３】
前記アクセントパネルの彩度は、前記周辺パネルの彩度より小さいことを特徴とする請求項１または２に記載の浴室。
【請求項４】
水を吐出可能な水栓装置と、浴室床と、浴室天井と、浴室空間の四方を囲むように複数設けられた浴室壁と、を備えた浴室であって、
前記浴室壁は、前記四方のうち２面を形成するアクセントパネルと、前記四方のうち残りの２面を形成する周辺パネルと、を有し、
前記アクセントパネル及び前記周辺パネルは、明度が７．９以下であり且つ彩度が７．２以下であり、
前記アクセントパネル及び前記周辺パネルの明度の差分は０より大きく１．１以下であり、
前記アクセントパネル及び前記周辺パネルの彩度の差分は０より大きく１．０以下であることを特徴とする浴室。
【請求項５】
前記浴室に設置される鏡をさらに備え、
前記アクセントパネルは、少なくとも前記鏡が設置された面を形成しており、
前記アクセントパネルの明度は、前記周辺パネルの明度より小さいことを特徴とする請求項４記載の浴室。
【請求項６】
前記浴室に設置される鏡をさらに備え、
前記アクセントパネルは、少なくとも前記鏡が設置された面を形成しており、
前記アクセントパネルの彩度は、前記周辺パネルの彩度より小さいことを特徴とする請求項４または５に記載の浴室。
【発明の詳細な説明】
【技術分野】
【０００１】
本発明は、浴室に関する。
【背景技術】
【０００２】
使用者が入浴可能な浴槽や、水を吐出可能な水栓装置、床、天井、そして浴室壁を備えた浴室が知られている。このような浴室では、浴室壁のうち一部の面を形成するアクセントパネルと、残りの面を形成する周辺パネルと、の色の明度や彩度などを異ならせることで、浴室壁の一部を形成するアクセントパネルを際立たせ、デザイン性を向上させる技術が知られている。
【先行技術文献】
【特許文献】
【０００３】
【特許文献１】特開２０１６−７９５５７号公報
【発明の概要】
【発明が解決しようとする課題】
【０００４】
一方で、通常の家屋の部屋であれば、部屋内の開放感を演出して部屋を広く感じさせるために、壁面の明度を高めに設計することが好ましい。しかし、出願人は、浴室空間では、入浴者が裸になる関係上、開放感が高いと逆に心理的に落ち着くことができなくなり、真のリラックスが達成できないという知見を研究結果により見出した。
【０００５】
そこで、本発明は、浴室空間において、浴室壁の一部を形成するアクセントパネルを際立たせることでデザイン性を向上させつつも、入浴者にあえて圧迫感を与えることで安心感を与え、真のリラックスを達成することを実現する浴室を提供する。
【課題を解決するための手段】
【０００６】
第１の発明の浴室は、水を吐出可能な水栓装置と、浴室床と、浴室天井と、浴室空間の四方を囲むように複数設けられた浴室壁と、を備えた浴室であって、前記浴室壁は、前記四方のうち１面を形成するアクセントパネルと、前記四方のうち残りの３面を形成する周辺パネルと、を有し、前記アクセントパネル及び前記周辺パネルは、明度が７．９以下で且つ彩度が７．２以下であり、前記アクセントパネル及び前記周辺パネルの明度の差分は０より大きく１．１以下であり、前記アクセントパネル及び前記周辺パネルの彩度の差分は０より大きく１．０以下であることを特徴とする。  
第１の発明によれば、浴室壁のうち一部の面を形成するアクセントパネルの明度と、残りの面を形成する周辺パネルの明度とを異ならせ、且つ、アクセントパネルの彩度と周辺パネルの彩度とを異ならせることで、浴室壁の一部を形成するアクセントパネルを際立たせ、デザイン性が向上する。  
その上で、アクセントパネル及び周辺パネルの明度を７．９以下且つ彩度を７．２以下とすることで、浴室内を暗鈍にし、浴室内の開放感を抑えて圧迫感を与えることができる。加えて、アクセントパネル及び周辺パネルの明度の差分を０より大きく１．１以下とし、彩度の差分を０より大きく１．０以下としたことで、アクセントパネルと周辺パネルとの明度及び彩度を異ならせた状態で、より浴室内の開放感を抑えて圧迫感を与えることができる。浴室内の開放感を抑えて圧迫感を与えることで、裸である入浴者に安心感を与えて真にリラックスした状態で浴室を利用させることができる。  
第２の発明は、第１の発明において、前記アクセントパネルの明度は、前記周辺パネルの明度より小さいことを特徴とする。  
第２の発明によれば、四方の浴室壁のうち使用者が注目する面であるアクセントパネルの明度を周辺パネルの明度より小さいものとしたことで、使用者が浴室を利用している最中の開放感をさらに抑制でき、さらにリラックスした状態で浴室を利用させることができる。  
第３の発明は、第１または第２の発明において、前記アクセントパネルの彩度は、前記周辺パネルの彩度より小さいことを特徴とする。  
第３の発明によれば、四方の浴室壁のうち使用者が注目する面であるアクセントパネルの彩度を周辺パネルの彩度より小さいものとしたことで、使用者が浴室を利用している最中の開放感をさらに抑制でき、さらにリラックスした状態で浴室を利用させることができる。  
第４の発明は、水を吐出可能な水栓装置と、浴室床と、浴室天井と、浴室空間の四方を囲むように複数設けられた浴室壁と、を備えた浴室であって、前記浴室壁は、前記四方のうち２面を形成するアクセントパネルと、前記四方のうち残りの２面を形成する周辺パネルと、を有し、前記アクセントパネル及び前記周辺パネルは、明度が７．９以下であり且つ彩度が７．２以下であり、前記アクセントパネル及び前記周辺パネルの明度の差分は０より大きく１．１以下であり、前記アクセントパネル及び前記周辺パネルの彩度の差分は０より大きく１．０以下であることを特徴とする。  
第４の発明によれば、浴室壁のうち一部の面を形成するアクセントパネルの明度と、残りの面を形成する周辺パネルの明度とを異ならせ、且つ、アクセントパネルの彩度と周辺パネルの彩度とを異ならせることで、浴室壁の一部を形成するアクセントパネルを際立たせ、デザイン性が向上する。  
その上で、アクセントパネル及び周辺パネルの明度を７．９以下且つ彩度を７．２以下とすることで、浴室内を暗鈍にし、浴室内の開放感を抑えて圧迫感を与えることができる。加えて、アクセントパネル及び周辺パネルの明度の差分を０より大きく１．１以下とし、彩度の差分を０より大きく１．０以下としたことで、アクセントパネルと周辺パネルとの明度及び彩度を異ならせた状態で、より浴室内の開放感を抑えて圧迫感を与えることができる。浴室内の開放感を抑えて圧迫感を与えることで、裸である入浴者に安心感を与えて真にリラックスした状態で浴室を利用させることができる。  
第５の発明は、第４の発明において、前記浴室に設置される鏡をさらに備え、前記アクセントパネルは、少なくとも前記鏡が設置された面を形成しており、前記アクセントパネルの明度は、前記周辺パネルの明度より小さいことを特徴とする。  
第５の発明によれば、使用者が正面を向く鏡が設置された面にアクセントパネルを配置させ、且つ、このアクセントパネルの明度を周辺パネルの明度より小さいものとしたことで、使用者が浴室を利用している最中の開放感をさらに抑制することができ、さらにリラックスした状態で浴室を利用させることができる。  
第６の発明は、第４または第５の発明において、前記浴室に設置される鏡をさらに備え、前記アクセントパネルは、少なくとも前記鏡が設置された面を形成しており、前記アクセントパネルの彩度は、前記周辺パネルの彩度より小さいことを特徴とする。  
第６の発明によれば、使用者が正面を向く鏡が設置された面にアクセントパネルを配置させ、且つ、このアクセントパネルの彩度を周辺パネルの彩度より小さいものとしたことで、使用者が浴室を利用している最中の開放感をさらに抑制することができ、さらにリラックスした状態で浴室を利用させることができる。
【発明の効果】
【０００７】
本発明の浴室によれば、浴室空間において、浴室壁の一部を形成するアクセントパネルを際立たせることでデザイン性を向上させつつも、入浴者にあえて圧迫感を与えることで安心感を与え、真のリラックスを達成することを実現する浴室が提供される。
【図面の簡単な説明】
【０００８】
【図１】本発明の実施形態に係る浴室の模式斜視図である。
【図２】本発明の他の実施形態に係る浴室の模式斜視図である。
【図３】マンセル表色系の色立体図である。
【図４】浴室壁の明度の値と、落ち着くと感じた人数との関係を表す実験結果のグラフである。
【図５】浴室壁の彩度の値と、落ち着くと感じた人数との関係を表す実験結果のグラフである。
【図６】浴室壁同士の明度差の値と、落ち着くと感じた人数との関係を表す実験結果のグラフである。
【図７】浴室壁同士の彩度差の値と、落ち着くと感じた人数との関係を表す実験結果のグラフである。
【発明を実施するための形態】
【０００９】
以下、添付図面を参照しながら本発明の実施の形態について説明する。説明の理解を容易にするため、各図面において同一の構成要素に対しては可能な限り同一の符号を付して、重複する説明は省略する。
【００１０】
図１は、本発明の実施形態に係る浴室１０の模式斜視図である。
【００１１】
浴室１０は、水を吐出可能な水栓装置４３と、浴室床（洗い場床）２０と、浴室天井１５と、浴室空間の四方を囲むように設けられた４つの浴室壁１１〜１４とを備えている。
【００１２】
浴室壁１１〜１４は、浴室空間の四方のうち１面を形成するアクセントパネル１１と、前記四方のうち残りの３面を形成する周辺パネル１２〜１４とを有する。
【００１３】
アクセントパネル１１には、鏡４２、水栓装置４３、およびハンドシャワー４４が設置されている。アクセントパネル１１は、周辺パネル１３に対向している。
【００１４】
例えば周辺パネル１４が設置された壁面側に設けられた図示しない浴室ドアを通じて、浴室１０内に出入りすることができる。周辺パネル１２は、周辺パネル１４に対向している。周辺パネル１２と周辺パネル１４との間において、周辺パネル１２側に浴槽３０が設置され、周辺パネル１４側に浴室床２０が設置されている。浴室床２０には排水口２１が設けられている。
【００１５】
本発明の実施形態によれば、アクセントパネル１１の明度が７．９以下で且つ彩度が７．２以下である。また、周辺パネル１２〜１４の明度が７．９以下で且つ彩度が７．２以下である。また、アクセントパネル１１の明度と周辺パネル１２〜１４の明度との差分は０より大きく１．１以下である。また、アクセントパネル１１の彩度と周辺パネル１２〜１４の彩度との差分は０より大きく１．０以下である。
【００１６】
ここでの明度の値および彩度の値は、色彩を色の三属性（色相、明度、彩度）によって表現したマンセル表色系における値を表す。
【００１７】
図３は、マンセル表色系の色立体図である。
【００１８】
明度は、明るさの度合いであり、９．５（白）〜１．５（黒）の範囲をもつ。  
彩度は、鮮やかさの度合いであり、１４（ビビッド）〜０（白黒：モノクロ）の範囲をもつ。
【００１９】
明度および彩度の測定条件は、以下の通りである。  
測定方法はＳＣＩ方式、視野角度は２度、光源設定はＤ６５である。  
観測者（受光部）が５０ｃｍの位置で直径１．７ｃｍの試料を観測し、色を判定する場合が２度視野である。
【００２０】
本発明の実施形態によれば、浴室壁のうち一部の面を形成するアクセントパネル１１の明度と、残りの面を形成する周辺パネル１２〜１４の明度とを異ならせ、且つ、アクセントパネル１１の彩度と周辺パネル１２〜１４の彩度とを異ならせることで、浴室壁の一部を形成するアクセントパネル１１を際立たせ、デザイン性が向上する。
【００２１】
その上で、アクセントパネル１１及び周辺パネル１２〜１４の明度を７．９以下且つ彩度を７．２以下とすることで、浴室内を暗鈍にし、浴室内の開放感を抑えて圧迫感を与えることができる。加えて、アクセントパネル１１及び周辺パネル１２〜１４の明度の差分を０より大きく１．１以下とし、彩度の差分を０より大きく１．０以下としたことで、アクセントパネル１１と周辺パネル１２〜１４との明度及び彩度を異ならせた状態で、より浴室内の開放感を抑えて圧迫感を与えることができる。浴室内の開放感を抑えて圧迫感を与えることで、裸である入浴者に安心感を与えて真にリラックスした状態で浴室を利用させることができる。
【００２２】
図４〜図７は、３０人の被験者に対する実験結果を表す。
【００２３】
図４は、浴室壁の明度の値（横軸）と、落ち着くと感じた人数（縦軸）との関係を表す実験結果のグラフである。  
全３０人中２４以上（８０％以上）の人が、浴室壁の明度が７．９以下の場合に落ち着くと感じた。
【００２４】
なお、本発明における「落ち着くと感じた」とは、例えば、被験者が４０度の湯水に３分間浸かった後、被験者の安静時の心拍数からの上昇値が一定値（１０）以下となるまでの時間が３分以内であった場合のことである。
【００２５】
図５は、浴室壁の彩度の値（横軸）と、落ち着くと感じた人数（縦軸）との関係を表す実験結果のグラフである。  
全３０人中２４以上（８０％以上）の人が、浴室壁の彩度が７．２以下の場合に落ち着くと感じた。
【００２６】
図６は、浴室壁同士の明度差（アクセントパネルと周辺パネルとの明度差）の値（横軸）と、落ち着くと感じた人数（縦軸）との関係を表す実験結果のグラフである。  
全３０人中２４以上（８０％以上）の人が、浴室壁同士の明度差が１．１以下の場合に落ち着くと感じた。
【００２７】
図７は、浴室壁同士の彩度差（アクセントパネルと周辺パネルとの彩度差）の値（横軸）と、落ち着くと感じた人数（縦軸）との関係を表す実験結果のグラフである。  
全３０人中２４以上（８０％以上）の人が、浴室壁同士の彩度差が１．０以下の場合に落ち着くと感じた。
【００２８】
また、実施形態によれば、アクセントパネル１１の明度は周辺パネル１２〜１４の明度より小さく、アクセントパネル１１の彩度は周辺パネル１２〜１４の彩度より小さい。
【００２９】
四方の浴室壁のうち使用者が注目する面であるアクセントパネル１１の明度を周辺パネル１２〜１４の明度より小さいものとしたことで、使用者が浴室を利用している最中の開放感をさらに抑制でき、さらにリラックスした状態で浴室を利用させることができる。同様に、四方の浴室壁のうち使用者が注目する面であるアクセントパネル１１の彩度を周辺パネル１２〜１４の彩度より小さいものとしたことで、使用者が浴室を利用している最中の開放感をさらに抑制でき、さらにリラックスした状態で浴室を利用させることができる。
【００３０】
また、使用者が正面を向く鏡４２が設置された面にアクセントパネル１１を配置させ、且つ、このアクセントパネル１１の明度を周辺パネル１２〜１４の明度より小さいものとしたことで、使用者が浴室を利用している最中の開放感をさらに抑制することができ、さらにリラックスした状態で浴室を利用させることができる。
【００３１】
同様に、使用者が正面を向く鏡４２が設置された面にアクセントパネル１１を配置させ、且つ、このアクセントパネル１１の彩度を周辺パネル１２〜１４の彩度より小さいものとしたことで、使用者が浴室を利用している最中の開放感をさらに抑制することができ、さらにリラックスした状態で浴室を利用させることができる。
【００３２】
また、鏡４２の周辺壁面の明度および／または彩度を小さくすることは、鏡４２の周辺壁面における光の反射を抑え、鏡４２を見る使用者に眩しさ感を与えない。
【００３３】
図２は、本発明の他の実施形態に係る浴室１０の模式斜視図である。
【００３４】
浴室壁は、浴室空間の四方のうち２面を形成するアクセントパネル１１、５２と、前記四方のうち残りの２面を形成する周辺パネル１３、１４とを有する。
【００３５】
アクセントパネル１１には、鏡４２、水栓装置４３、およびハンドシャワー４４が設置されている。アクセントパネル１１は、周辺パネル１３に対向している。
【００３６】
例えば周辺パネル１４が設置された壁面側に設けられた図示しない浴室ドアを通じて、浴室１０内に出入りすることができる。アクセントパネル５２は、周辺パネル１４に対向している。アクセントパネル５２と周辺パネル１４との間において、アクセントパネル５２側に浴槽３０が設置され、周辺パネル１４側に浴室床２０が設置されている。浴室ドアから浴室内に入る使用者の目に入り注目しやすい２面にアクセントパネル１１、５２を設けることで、より高級感を与えやすい。
【００３７】
図２に示す実施形態においても、上記実施形態と同様、アクセントパネル１１、５２の明度が７．９以下で且つ彩度が７．２以下である。また、周辺パネル１３、１４の明度が７．９以下で且つ彩度が７．２以下である。また、アクセントパネル１１、５２の明度と周辺パネル１３、１４の明度との差分は０より大きく１．１以下である。また、アクセントパネル１１、５２の彩度と周辺パネル１３、１４の彩度との差分は０より大きく１．０以下である。そのため、上記実施形態と同様の効果が得られる。
【００３８】
以上、具体例を参照しつつ本発明の実施形態について説明した。しかし、本発明は、それらに限定されるものではなく、本発明の技術的思想に基づいて種々の変形が可能である。
【符号の説明】
【００３９】
１０…浴室、１１，５２…アクセントパネル、１２〜１４…周辺パネル
【図１】
2019137986.tif 000003
【図２】
2019137986.tif 000004
【図３】
2019137986.tif 000005
【図４】
2019137986.tif 000006
【図５】
2019137986.tif 000007
【図６】
2019137986.tif 000008
【図７】
2019137986.tif 000009